(57)【要約】少なくとも一つの桁（１０）について型材桁の中央に向け両側から互いに対向して設けられ桁方向に平行に延びる上方及び下方フランジ（１１，１１’；１２，１２’）によりコンベアチェーンが支持そして案内される、コンベアのためのスライドレール装置である。コンベアチェーンは、型材桁上で、上方そして下方フランジ上の一対の対向スライドレール（３１；２７）で誘導される。各スライドレールはほぼＵ字状断面をもつ部分（Ａ）を有し、Ｕ字状部分の一つの腕部は第一部分と一体に形成された長手部分（Ｂ）を有している。ロック爪（３４，３４ａ）が上記長手部分と部分との間に位置し、それがスライドレールのフランジへのプレス嵌合時に、型材要素上の対応フランジの対応部分（３４’；３４’’）とロック係合するように入る。一つの実施形態では、型材要素の一対の対向上方フランジと係合するスライドレール（２７）のそれぞれがこれと一体に形成された縁部（２６）を有し、該縁部は、上方フランジの外側のまわりで、チェーンリンクを支持するレールの表面にほぼ直角に延びている。
2004502617.tif 000002
【特許請求の範囲】
【請求項１】
駆動装置によって駆動される連続コンベアチェーンを有し、少なくとも一つの桁（１０）について型材桁の中央に向け両側から互いに対向して設けられ桁方向に平行に延びる上方及び下方フランジ（１１，１１’；１２，１２’）によりコンベアチェーンが支持そして案内され、上方フランジ上の一対の対向スライドレール（３１；２７）から下方フランジ上の一対の対向スライドレール（３１）へコンベアチェーンを誘導するため、そして最初の方向から反対方向へチェーンの移動方向を反転させるための少なくとも一対の転向装置がコンベアに設けられているスライドレール装置において、
各スライドレール（３１；２７）がスライドレールの長手方向に延び略Ｕ字状断面をもつ部分（Ａ）を有していること、上記部分の一つの腕部（３３；３３ａ）が一体に形成された長手部分（Ｂ）を有し、この腕部がスライドレールの長手方向に延びるロック爪（３４；３４ａ）を備えていること、型材桁上の対応フランジ（１１，１１’；１２，１２’）が、フランジの長手方向に延びそしてロック爪（３４；３４ａ）とスライドレール（３１；２７）の型材桁の中央に向けた変位を規制する支持面（３４’；３４’’’）を有していることを特徴とするコンベアのためのスライドレール装置。
【請求項２】
長手部分（Ｂ）が一つの腕部（３３，３３ａ）に対して厚くなっていることとする請求項１に記載のコンベアのためのスライドレール装置。
【請求項３】
長手部分（Ｂ）が一つの腕部（３３，３３ａ）の端部に形成されていること、上記長手部分（Ｂ）が上記腕部の内側でＵ字のベースの内方に向け実質的に直角な移行部（３４；３４ａ）を形成していることとする請求項２に記載のコンベアのためのスライドレール装置。
【請求項４】
実質的に直角な移行部（３４；３４ａ）はＵ字のベースから距離をもって位置し、該距離は、型材桁の中央面に向く上方フランジ（１１，１１’）の端部と上記上方フランジの底側の溝（３６）の変位阻止支持面（３４’’）及び下方フランジ（１２，１２’）の上側の溝（３６’）の上記変位阻止支持面との間の距離に対応していることとする請求項３に記載のコンベアのためのスライドレール装置。
【請求項５】
スライドレール（３１；２７）は腕部が可撓性をもって正規位置に戻れるように揺動変位を可能とする材料で作られていること、両腕部間の距離がフランジの内端から直角な移行部（３４’；３４’’）の位置までそれぞれの対応フランジ（１１，１１’；１２，１２’）の厚さにほぼ対応していることとする請求項４に記載のコンベアのためのスライドレール装置。
【請求項６】
各スライドレールは、実質的にＵ字状の部分（Ａ）に加えて、該部分の他の腕部（３２，３２ａ）を延長し、該他の腕部と共に、型材桁のそれぞれの上方フランジ（１１，１１’）と下方フランジ（１２，１２’）のそれぞれの上側と下側をカバーする寸法となっている部分（Ｃ）を有していることとする請求項５に記載のコンベアのためのスライドレール装置。
【請求項７】
互いに対向する一対の上方フランジ（１１，１１’）の少なくとも一つのフランジに適合するスライドレール（２７）のそれぞれが一体形成された縁部（２６）を有し、該縁部は、延長部（Ｃ）にほぼ直角に延びており、上記上方フランジ（１１，１１’）の外側のまわりで、組込まれたコンベアチェーンの全長に沿って該コンベアチェーンに直角であることとする請求項６に記載のコンベアのためのスライドレール装置。
【請求項８】
縁部（２６）を形成する部分が型材桁を外方で把持するように爪（２７’’）によって底部に設けられていることとする請求項７に記載のコンベアのためのスライドレール装置。
【請求項９】
型材の上方フランジと下方フランジのそれぞれのためのスライドレールが低摩擦材料で一部材として作られ、少なくともＵ字の領域にて、弾性可撓性を有していることとする請求項８に記載のコンベアのためのスライドレール装置。
【発明の詳細な説明】
【０００１】
＜発明の属する技術分野＞
本発明は、コンベアのための転向装置、さらに詳しくは、連続走行コンベアチェーンあるいは同等のものを有するコンベアのための転向装置に関する。
【０００２】
＜従来の技術＞
型材要素として形成されてチェーンを支持し案内する要素で連続コンベアチェーンを案内することは永く知られている。かかる要素は、通常、押し出し成形による桁材とされ、その材料の適切な選択によって、目的に応じた要素として広い範囲で提供する。明らかな一つの要求は、勿論、十分な強度そして最適押し出し成形性である。アルミニウムそしてアルミニウム合金は、他の軽合金と同様、要求に適合してきた。強度の点で満足する型材の形状と、特殊なチェーンの案内に必要な型材の形状とを組み合わせることによって、目的に最も適した型材の形状を得ることができる。
【０００３】
連続チェーンコンベアは、又、勿論、転向装置、特に第一方向から反対方向の第二方向へチェーンの移動方向を反転させる転向装置を必要とする。
【０００４】
かかる転向装置は、従来、複数の別要素を鋳物によって作っており、これらの要素は互いに結合組立てられ上記型材要素に接合される。上記転向装置における構造要素も、通常、この目的での十分な強度そして耐久性をもったアルミニウムや他の金属で作られている。
【０００５】
これらの転向装置は、転向ローラ、又、或る場合には、転向ローラと駆動ローラの組合せを収めるような形態となっている。
【０００６】
強度上の要求を別にすると、寸法公差についての要求は、又、勿論、チェーンが転向装置へ導入されて向きを変え、何の乱れもなく、型材要素へ再び導入できるように定められる。これらの要求は、従来、別体に作られた支持ガイドを用いることで対応しており、この支持ガイドは、追加的製造工程で、転向装置のチェーンを覆う壁に両側で取付けられていた。
【０００７】
本発明の出願人はチェーン転向装置における案内／ガイド装置のための新しい取付法に想到し、これは同時に提出されたスウェーデン特許出願に開示されている。
【０００８】
この関連で、押出し成形されるコンベア要素にとっての他の重要な要求は、これらがチェーンに対する摩擦を最小にすることである。これは、従来、適切な材料で作られたスライドレールを、型材要素の支持ガイドに、そして転向装置の別の支持ガイドに用いることによって解決されてきた。かかる材料は、例えば、ポリアミド、ＨＤポリエチレン、ＵＨＷポリエチレンである。
【０００９】
かかるレールは所望の長さで押し出し成形され型材要素／桁において案内そして転向装置での補助案内としての適用に要求される部分長に切断される。
【００１０】
レールにおいては、長手方向の溝が形成されていて、この溝の幅はガイド／フランジの厚さに実質的に対応した寸法となっており、このガイド／フランジに対して対応せるレールは両側で包囲するようにこのフランジにプレス嵌合される。
【００１１】
レールの材料は、例えば、ポリアミド、ＨＤポリエチレンあるいはＵＨＷポリエチレンであり、レールの溝形の腕部は、正規位置へ撓んで戻れるように揺動変形可能である。
【００１２】
コンベアのチェーン軌道のどのような曲部にも対応できるように、レールとその腕部はあまり曲げ剛性が強くてはいけない。
【００１３】
これは、レールの材料の特性とレールの溝の幅が、コンベア軌道でのガイドに力を及ぼす腕部を可及的に弾性を有しレールに追従できるように、常に選択できるとは限らない、ということを意味する。
【００１４】
特に、コンベアがチェーンの間そしてこれに直角な面で十分な範囲で移動するリンクをもったコンベアチェーンを有しているときには、その固有特性と個々のリンク間の必要な自由度の故に、ガイドが所定通りでないとチェーンが意図しない移動経路を走行する傾向を有するという虞れがある。
【００１５】
上記スライドレールは、このような案内に大きく貢献する。
【００１６】
コンベアチェーンはスライドレールに応力をもたらし、該スライドレールは所定荷重のもとで動かないようになっている。チェーンにおける偏った荷重そして偏った張力が、例えば、チェーンで、特にチェーンの曲り部分での搬送物品の不揃いによって生ずる。これに関連して、スライドレールがその所定位置を維持せねばならないということが重要である。スライドレールが正規の位置から若干でも変位してしまうと、ブレーキになったり、あるいはチェーンのジャムが生ずる。
【００１７】
＜発明の目的＞
本発明の目的は、上述の問題が解消される、連続コンベアチェーンを有するコンベアを提供することである。
【００１８】
スライドレール装置は、特に、スライドレール上を走行する連続コンベアチェーンを有し、チェーン上で搬送される物品が乱れることなく正しく上方を向きコンベアチェーンをスライドレール上で正しい方向に移動させるように、コンベアに用いられるものである。
【００１９】
本発明によるスライドレール装置は、チェーンストランドが押し出し成形型材にて比較的短い距離で支持されそして案内され、高度の要求が公差、特にチェーンの乱れない案内という点で、困難な運転状条件下ということを踏まえて、課せられるコンベアに特に用いられる。
【００２０】
＜発明の要約＞
本発明の上記目的は、特許請求の範囲の請求項１に掲げられたスライドレール装置により達成される。
【００２１】
従属項は本発明による構成の好ましい形態を示している。
【００２２】
＜発明の実施の形態＞
本発明の実施形態が添付図面に図示されている。
【００２３】
図１には、型材の桁１０の一部が示されており、これはいかなる長さにも選定でき、直状桁材の形態で、好ましくはアルミニウムの押し出し成形により作られている。（断面において対応する形状の曲桁あるいは対応構造要素も簡単に定められる。）この直状桁材の構造は図４に見られる。図から明らかなように、桁材はその縦方向中央面Ｃ−Ｃに対して対称であり、コンベアチェーンのための第一支持そしてステアリングガイドを形成する、互いに対向せる一対のフランジ１１，１１’を有している。桁材は、又、コンベアチェーンのために下側に第二支持そしてステアリング上方軌道を形成する、互いに対向せる一対のフランジ１２，１２’をも有している。桁材は、これに加えて、各長手側面に沿って凹部又は溝１３，１３’を有していて、これらは図にて縦方向に立つウェブ１４，１４’によって内側で境界づけられている。これらのウェブ１４，１４’は、図示のごとく角度をもってほぼ水平に延び、桁材の構造を捩り方向に高剛性で強度の高いものとしているウェブ１５，１５’と一体となっている。桁材のほぼ縦方向の縦壁１６，１６’は、図４に示されるように、下部で長手に延びる溝１７，１７’を有し、この溝で、例えば、コンベアあるいは桁材の底側をカバーするプレートを支持する脚のクランプあるいは同様なものが固定される。
【００２４】
上方のフランジ／第一ガイド１１，１１’（図５で概略に示されている）上には、縁２６が設けられているスライドレール２７を介して、図２そして３に示されるチェーンリンク２０の対応外端１８，１９，１８ａ，１９ａ；１８’，１９’，１８’ａ，１９’ａが支持される。
【００２５】
型材桁の下側フランジ／第二ガイド１２，１２’上では、チェーンリンク２０の脚状要素２１，２１’が、コンベアチェーンの下ストランドで、すなわち、チェーンの移動方向がガイド１１，１１’に沿った最初の方向からガイド１２，１２’に沿った反対方向に反転した後に支持される。個々のリンク２０はピンを受けるための内径２２，２３，２４を有し、このピンはチェーンの面でそしてこれに直角に個々のリンクと一緒に可撓に保持される。
【００２６】
図１には、コンベアの転向装置の一部をなす壁要素２５が概略的に示されている。壁要素は、一部材として、好ましくは、アルミニウムもしくは他の軽合金の鋳物により作られている。図１に見られるように、壁要素２５は縦方向において桁としての型材要素１０と同じ範囲に及んでいる。壁要素には接続部（図示せず）が一体として設けられており、該接続部は、型材桁に形成された溝１３，１３’と対応する断面を有し、且つ型材桁のウェブ１４，１４’に締結するためのねじを受け入れる固定孔（図示せず）を有している。壁要素２５はフランジ２８を有し、該フランジは取付状態において、フランジ１１の実質的に直接的な延長部を形成する。これと同様に、フランジ２９が壁要素２５の下部に設けられていて、組立状態において、このフランジは、下側フランジ／第一ガイド１２の実質的に直接的な延長部を形成する。両方のフランジ２８，２９は壁要素２５と一体的に形成され、転向装置２５における第三ガイドの一部をなしている。
【００２７】
壁要素２５の内側には、部分的に円弧状の固定部３０が壁要素と一体に設けられている。この固定部は、本願と同時に提出した上記スウェーデン特許出願に記載された案内／スライド要素を動かないように支持するためのものである。この固定部３０に固定される案内／スライド要素はフランジ２８，２９そして本発明によるスライドレールと共にコンベアチェーンのための第三ガイド、すなわち、チェーンの移動方向が最初の方向から反対方向へ転向するためのガイドを形成する。
【００２８】
図５には、スライドレール２７，３１の二つの異なる形式のものが示されている。
【００２９】
レール３１は、概略Ｕ字断面の長手部分Ａ（図７で、ｙ−ｙでマークされた面の左）を有し、該部分はフランジ１１の長手方向端部３５の厚さにはほぼ等しいロック爪３４に至るまでＵ字をなす腕３２，３３の間で距離をもっており、図において、上記端部は型材桁の中央面に向いている。フランジ１１（他のフランジでも同様）には、フランジの底側で長手方向に溝３６が形成されている。対応する溝３６’が型材桁の下側フランジ１２，１２’の上面に形成されている。各溝は、ロック爪３４に適合する爪もしくは係合面、例えば、図４の爪３４’を、スライドレールの腕部３２，３３に沿ってＵ字の基部からロック爪３４までの距離に相当する、それぞれのフランジ端３５，３５’からの距離だけ離れた所に形成する。
【００３０】
図５によると、Ｕ字断面の部分Ａとこれに続く肉厚の長手部分Ｂの腕部３３が型材要素のそれぞれの上方フランジ１１，１１’の底側と係合する。部分ＡでＵ字状断面をなすスライドレール３２の底部は、フランジの端部３５とスライドレールの他方の腕部３２を包囲し、後者の腕部を幅広としている部分Ｃが上方フランジ１１の上面に位置し、チェーンリンクの対応コグ１８，１９；１８ａ，１９ａのための平坦な長手スライド面を形成している。
【００３１】
型材要素の下方フランジ１２，１２’に係合するスライドレール３１は上方フランジ１１，１１’上のスライドレールに対し上下に案内される。コンベアチェーンの戻り移動のために、それぞれの腕部３３の外側とこれに接続されるそれぞれの部分Ｂの外面とがチェーンリンク２０の脚状要素２１のためのスライド面を形成する。
【００３２】
図５に見られるように、腕部３２とこれに一体となっている部分Ｃは、脚部３３とこれに接続される部分Ｂよりも幾分長くなっている。長さはスライドレールを型材桁１０の外側対向部に軽く接続させるように設定される。
【００３３】
しかしながら、型材桁１０の上方フランジ１１，１１’へのスライドレールの取付けを改善するために、図７に示された本発明の他の実施形態によるレールは、一体に形成された縁部２６を有している。この縁部２６は、爪２６’を底部に有していて、図４に示されたように外側で型材要素を把持するようになる。
【００３４】
爪２６’とスライドレールのロック爪３４との協働により、型材桁の中央面の方向での変位に対するスライドレールの固定が改善される。これに加え、この縁部を設けることは、コンベアチェーン上を前進する物品の案内用にも有用である。縁部が設けられたスライド要素は、両方の上方フランジ１１，１１に対して位置づけられ、あるいは、コンベアで型材要素が曲部をもっているとき、縁付けされたスライドレールは問題となっている曲部での外側溝に沿って適用できるし、スライドレールが変位に対してしっかりと保持されているので、同時に、搬送物品の案内を効果的なものとするのに貢献する。
【００３５】
実施形態そして他の同等形態として示された本発明のスライドレールは、低摩擦材料で押出し成形あるいは射出成形によって一体的に作れ、上記材料は、少なくともＵ字領域で、弾性変形能力をもつように選定されるのが好ましい。本発明は、図面に従って図示の実施形態として説明したが、特許請求の範囲の各請求項のもとに変形が可能である。
【図面の簡単な説明】
【図１】
転向装置を有し、その中でコンベアチェーンが型材要素によって支持される、本発明のコンベアの一部の斜視図である。
【図２】
上方から見たコンベアチェーンのリンクを示す。
【図３】
前方から見た図２のリンクを示す。
【図４】
図１に示される本発明の一実施形態としてのスライドレールで、上方フランジ／ガイドを図の右側に有する型材桁の断面図である。
【図５】
チェーンリンクと本発明によるスライドレールとを伴った型材桁の半分についての部分を概略的そして部分的に示す断面図である。
【図６】
縁部と一体に形成された本発明のスライドレールを示す。
【図７】
縁部なしのスライドレールを示す。
【国際公開パンフレット】
2004502617.tif 000003
2004502617.tif 000004
2004502617.tif 000005
2004502617.tif 000006
2004502617.tif 000007
2004502617.tif 000008
2004502617.tif 000009
2004502617.tif 000010
2004502617.tif 000011
2004502617.tif 000012
2004502617.tif 000013
2004502617.tif 000014
2004502617.tif 000015
2004502617.tif 000016
2004502617.tif 000017
2004502617.tif 000018
2004502617.tif 000019
2004502617.tif 000020
2004502617.tif 000021
【国際調査報告】
2004502617.tif 000022
2004502617.tif 000023